(57)【要約】【課題】オーディオ再生装置においてネットワーク等の通信線を介して伝送されるオーディオ情報を再生する場合、伝送の遅延によって再生音が途切れ聴き取れなくなる。【解決手段】送信装置が送信したオーディオ情報を受信し再生するオーディオ再生装置において、受信したオーディオ情報を記憶する記憶手段と、記憶手段が記憶したオーディオ情報を再生する再生手段と、記憶手段が記憶したオーディオ情報の再生時間を検出する検出手段と、検出手段が検出したオーディオ情報の再生時間を予め定めた時間と比較する比較手段と、再生手段によるオーディオ情報の再生速度を制御する速度制御手段とを備え、比較手段が比較した結果、記憶手段に記憶されたオーディオ情報の再生時間が予め定めた時間以下である場合、速度制御手段は再生手段の再生速度を低下させるものである。【選択図】　図１
2004125875.tif 000002
【特許請求の範囲】
【請求項１】
送信装置が送信したオーディオ情報を受信し再生するオーディオ再生装置において、受信したオーディオ情報を記憶する記憶手段と、前記記憶手段が記憶したオーディオ情報を再生する再生手段と、前記記憶手段が記憶したオーディオ情報の再生時間を検出する検出手段と、前記検出手段が検出したオーディオ情報の再生時間を予め定めた時間と比較する比較手段と、前記再生手段によるオーディオ情報の再生速度を制御する速度制御手段とを備え、前記比較手段が比較した結果、前記記憶手段に記憶されたオーディオ情報の再生時間が予め定めた時間以下である場合、前記速度制御手段は前記再生手段の再生速度を低下させることを特徴とするオーディオ再生装置。
【発明の詳細な説明】
【０００１】
【発明の属する技術分野】
本発明は、オーディオ情報を通信線を介して受信し再生するオーディオ再生装置に関する。
【０００２】
【従来の技術】
オーディオ情報を記録したオーディオ記録装置をワイドエリアネットワーク（ＷＡＮ：Ｗｉｄｅ　Ａｒｅａ　Ｎｅｔｗｏｒｋ）等のネットワークに接続し、遠隔地からネットワークの通信線を介して、受信して再生するオーディオ再生装置がある（例えば、特許文献１参照）。
【０００３】
【特許文献１】
特開２００２−２５８８８３号公報
【０００４】
【発明が解決しようとする課題】
遠隔地から通信線を介してオーディオ情報を伝送する場合、伝送に時間を要する。伝送に要する時間は常に一定ではなく変動することがあり、伝送時間が長くなると、オーディオ再生装置で受信し再生する音が途切れる。このような再生音の途切れを防止するため、オーディオ再生装置は、受信したオーディオ情報を記憶するメモリを備え、オーディオ情報の受信開始後、メモリにオーディオ情報を記憶してから、再生を開始する。しかしながら、通信線を介して伝送されるオーディオ情報の伝送時間が長くなった状態が続いたり頻繁に発生したりすると、メモリに記憶したオーディオ情報がなくなり、再生音が無音になることがあった。再生音の途切れがあると、使用者が聴き取ることができず、再度再生操作を行って聞き直すなどの手間を要していた。
本発明の目的は、オーディオ再生装置において、送信装置からネットワーク等の通信線を介して伝送されるオーディオ情報を再生する場合、再生音の途切れを防止することにある。
【０００５】
【課題を解決するための手段】
請求項１に記載のオーディオ再生装置は、送信装置が送信したオーディオ情報を受信し再生するオーディオ再生装置において、受信したオーディオ情報を記憶する記憶手段と、前記記憶手段が記憶したオーディオ情報を再生する再生手段と、前記記憶手段が記憶したオーディオ情報の再生時間を検出する検出手段と、前記検出手段が検出したオーディオ情報の再生時間を予め定めた時間と比較する比較手段と、前記再生手段によるオーディオ情報の再生速度を制御する速度制御手段とを備え、前記比較手段が比較した結果、前記記憶手段に記憶されたオーディオ情報の再生時間が予め定めた時間以下である場合、前記速度制御手段は前記再生手段の再生速度を低下させるものである。
【０００６】
【発明の実施の形態】
図１は、送信装置及び本発明のオーディオ再生装置の一実施例の構成を示すブロック図である。
送信装置１は、記録部２、送受信部３、制御部４を備える。記録部２は、オーディオ情報を記録する。送受信部３は、ネットワークの通信線５に接続され、記録部２から入力されたオーディオ情報を送信する。また、送受信部３は、オーディオ再生装置６から通信線４を介して伝送される再生開始等の操作信号を受信する。制御部４は、マイクロコンピュータ（マイコン）で構成され、記録部２、送受信部３を制御する。
【０００７】
送信装置１から送信されたオーディオ情報は、通信線５によってオーディオ再生装置６に伝送される。オーディオ再生装置６は、送受信部７、記憶部８、再生部９、検出部１０、比較部１１、制御部１２、速度制御部１２ａ、操作部１３を備える。送受信部６は、通信線４によって伝送されたオーディオ情報を受信する。また、送受信部７は再生開始等の操作信号を、通信線４を介して送信装置１に送信する。記憶部８は、送受信部７によって受信したオーディオ情報を記憶する。再生部９は、記憶部７に記憶されたオーディオ情報を読み出し再生し出力する。
【０００８】
検出部１０は、記憶部７に記憶されたオーディオ情報の再生時間を検出する。比較部１１は、検出部１０が検出したオーディオ情報の再生時間を予め定めた時間と比較し、比較結果を示すデータを制御部１２に出力する。制御部１２は、マイコンで構成され、送受信部７、記憶部８、再生部９を制御する。制御部１２内にある速度制御部１２ａは、再生部９のオーディオ情報の再生速度を制御する。操作部１３は、再生開始等の操作ボタンであり、使用者による操作信号を制御部１２に出力する。
【０００９】
図２は、送信装置から本実施例のオーディオ再生装置に伝送されるオーディオ情報の伝送状態を示す図である。記録部２に記録されたオーディオ情報（ａ）は、送受信部３により一定時間長のブロックＡ〜Ｅに分割されて送信される（ｂ）。各ブロックは、ネットワークの通信線５を介してオーディオ再生装置６に伝送される。オーディオ再生装置６は、送受信部７により各ブロックＡ〜Ｅを受信する。記憶部８は、受信したオーディオ情報を記憶する（ｃ）。再生部９は、記憶部８によって記憶されたオーディオ情報を順次再生する（ｄ）。
【００１０】
通信線５の伝送に要する時間が変動し遅延がＤ１に示す箇所で発生した場合、その遅延を生じた範囲（例えば、矢印Ｆで示す範囲）で、速度制御部１２ａは、再生部９にスロー再生させる。オーディオ情報のスロー再生について説明する。オーディオ情報は、その信号波形を、例えば、サンプリング周波数４４．１ｋＨｚでサンプリングしたデジタルデータとして、オーディオ再生装置内で取り扱われる。記憶部８から再生部９にオーディオ情報を読み出すとき、予め定めた範囲のデータ列毎に複数回読み出し、連続したデータ列として再生することにより、スロー再生することができる。例えば、予め定めた範囲のデータ列を２回繰り返して読み出していけば、再生速度を見かけ上１／２倍にすることができる。繰り返すデータ列はごく短時間の範囲毎であるので、聴感上の違和感は少なく、音声を聴き取ることもできる。
【００１１】
図３は、送信装置と本実施例のオーディオ再生装置の動作を示すフローチャートである。再生開始する場合、使用者はオーディオ再生装置６の操作部１３に備えられた再生開始ボタンを押す。操作部１３は再生開始信号を制御部１２に入力する。制御部１２は、送受信部７に再生開始信号を送信させる。再生開始信号は、通信線５を介して送信装置１の送受信部３に入力され、制御部４に入力される。制御部４は、記録部２に記録されたオーディオ情報を出力させ、送受信部３を介してオーディオ情報を送信させる（Ｓ１）。送信されたオーディオ情報は、通信線５によって伝送され、オーディオ再生装置６の送受信部７に受信される。送受信部７によって受信されたオーディオ情報は、記憶部８に記憶される（Ｓ２）。
【００１２】
検出部１０は、記憶部８に記憶されたオーディオ情報の再生時間を検出する。比較部１１は、検出部１０が検出したオーディオ情報の再生時間を予め定めた時間ｎ秒と比較し、比較結果を示すデータを制御部１２に出力する。記憶部８に再生時間ｎ秒分以上のオーディオ情報が記憶されると（Ｓ３でＹＥＳ）、制御部１２は、記憶部８に記憶されたオーディオ情報を出力させ、再生部８にオーディオ情報を再生させる（Ｓ４）。
【００１３】
図２のＤ１の箇所に示したように、伝送時間が変動しオーディオ情報の伝送が遅延すると、オーディオ再生装置６に伝送されるオーディオ情報量が遅延時間分減少するため、記憶部８に記憶されるオーディオ情報量が減少する。この間、一定速度での再生を継続すると、記憶部８に記憶されたオーディオ情報量が減少する。オーディオ情報の再生継続中（Ｓ６でＮＯ）に、検出部１０による記憶部８に記憶されたオーディオ情報の再生時間の検出、及び比較部１１による検出部１０が検出したオーディオ情報の再生時間とｎ秒との比較を行い、記憶部８に記憶したオーディオ情報量が再生時間ｎ秒分未満になった場合（Ｓ３でＮＯ）、速度制御部１２ａは、再生部８の再生速度を下げる制御をする（スロー再生）。
【００１４】
Ｓ３におけるｎ秒、及びＳ５における再生速度は、通信線５の伝送に要する時間の変動範囲に基づいて決定する。また、例えば、オーディオ情報として音声を用いた場合、再生速度を下げて、使用者が再生音声を認識することができる速度の聴取実験を行ったところ、通常の再生速度の１／２倍程度の速度が適当と考えられる。そこで、例えば、通信線５の伝送速度によって想定される遅延時間が６秒であれば、ｎ秒＝３秒として、記憶部８に記憶されたオーディオ情報の再生時間の検出と比較、スロー再生の制御を実施すれば良い。
【００１５】
【発明の効果】
本発明によれば、通信線によるオーディオ情報の伝送時間が変動した場合、再生音の途切れを防止することができる。
【図面の簡単な説明】
【図１】送信装置及び本発明のオーディオ再生装置の一実施例の構成を示すブロック図である。
【図２】送信装置から本実施例のオーディオ再生装置に伝送される音声情報の伝送状態を示す図である。
【図３】本実施例の送信装置とオーディオ再生装置の動作を示すフローチャートである。
【符号の説明】
１　送信装置
２　記録部
３、７　送受信部
４、１２　制御部
５　通信線
６　オーディオ再生装置
８　記憶部
９　再生部
１０　検出部
１１　比較部
１２ａ　速度制御部
１３　操作部
【図１】
2004125875.tif 000003
【図２】
2004125875.tif 000004
【図３】
2004125875.tif 000005